(57)【要約】【課題】本考案は、使用対象物が金属材又は金属を含む部材の場合においてもタグ性能を支障なく発揮し得る簡略構成の立体タグを提供する。【解決手段】本考案の立体タグ１は、タグＩＣ１３と、アンテナ１４とを具備する四角平面状の無線タグ１１と、無線タグ１１を保持する四角平面状のタグ面部２２と、四角平面状に形成した使用対象物への貼り付け面部２３と、タグ面部２２を貼り付け面部２３から離間させる状態でこれらタグ面部２２、貼り付け面部２３の対向する側縁同士を各々連結する一対の長方形状の連結片部２４ａ、２４ｂと、を具備し、全体として立体状を呈し折り畳み可能な樹脂フィルム材からなる無線タグ支持体２１と、を有するものである。【選択図】図１
0003136193.tif 000002
【実用新案登録請求の範囲】
【請求項１】
タグＩＣと、アンテナとを具備する無線タグと、
前記無線タグを保持するタグ面部と、使用対象物への貼り付け面部と、前記無線タグを保持したタグ面部を前記貼り付け面部から離間させる状態で連結する連結片部と、を具備し、全体として立体状を呈する樹脂材からなる無線タグ支持体と、
を有することを特徴とする立体タグ。
【請求項２】
タグＩＣと、アンテナとを具備する四角平面状の無線タグと、
前記無線タグを保持する四角平面状のタグ面部と、四角平面状に形成した使用対象物への貼り付け面部と、前記無線タグを保持したタグ面部を前記貼り付け面部から離間させる状態でこれらタグ面部、貼り付け面部の対向する側縁同士を各々連結する一対の長方形状の連結片部と、を具備し、全体として立体状を呈し折り畳み可能な樹脂フィルム材からなる無線タグ支持体と、
を有することを特徴とする立体タグ。
【請求項３】
タグＩＣと、平面状のアンテナとを略長方形状の無線タグ支持フィルムに貼着した平面状の無線タグと、
周辺部とこの周辺部の内側に形成した四辺の一部を除く部分に切り込みを有するタグ受部とを有し、前記前記無線タグの無線タグ支持フィルムを前記タグ受部にて貼着保持する長方形平面状のタグ面部と、長方形平面状に形成した使用対象物への貼り付け面部と、前記無線タグを保持したタグ面部を前記貼り付け面部から５ｍｍ以上離間させる状態でこれらタグ面部、貼り付け面部の対向する側縁同士を各々連結する一対の長方形状の連結片部と、を具備し、樹脂フィルム材の打ち抜き加工による平面基材から全体として直方体状を呈し折り畳み可能に組み立てた無線タグ支持体と、
を有することを特徴とする立体タグ。
【考案の詳細な説明】
【技術分野】
【０００１】
本考案は、立体タグに関し、詳しくは、使用対象物が金属材又は金属を含む部材の場合においてもタグ性能を支障なく発揮し得る簡略構成の立体タグに関するものである。
【背景技術】
【０００２】
通常、各種の金属容器を使用する商品には、例えば商品名や内容物を表す文字情報を表示した印刷ラベルやバーコード等が貼付され、商品管理や在庫管理等が行われる。しかし、文字情報を表示した印刷ラベルやバーコードの場合、表示される文字の大きさ、文字数等が限られたものとなり、充分な商品情報を表示できない。
【０００３】
近年、印刷ラベル或いはバーコードに替えて無線タグも多用されるようになってきている。
無線タグは、ＲＦＩＤ（Radio Frequency Identification）タグ等とも称され、ＩＣチップとアンテナを樹脂等で封止してタグ状に形成した小型の通信端末素子であり、ＩＣチップに所定の情報を記録して使用対象物に取り付け、記録した情報を無線通信によりリーダ・ライタで読み取ることにより、ＩＣチップに記録された情報を認識、表示して商品管理や在庫管理に供するものである。
【０００４】
しかし、無線タグを金属容器に直接貼り付けた場合、アンテナが発する電磁波が金属容器に吸収され熱損失等が生じて、無線タグ本来の通信機能を発揮し得ない事態となる。
【０００５】
このような不都合を解消すべく従来においても金属対応の無線タグが種々提案されている。例えば、無線タグと金属容器表面との間に磁気シートを介在させ、電磁波の吸収を無くすようにしたものが知られているが、この場合には、磁気シートを使用することからコスト増を招いてしまう。
【０００６】
特許文献１には、直方体状の誘電体と、この誘電体に形成された上面アンテナ部、下面アンテナ部及び側部アンテナ部とからなるアンテナ部と、このアンテナ部のいずれかに実装したタグＩＣとを有する構成で金属対応可能とした無線タグが開示されている。
しかし、特許文献１の場合、直方体状の誘電体の外周に、上面アンテナ部、下面アンテナ部及び側部アンテナ部からなるアンテナ部を形成した複雑な構成となってしまう。
【特許文献１】特開２００５−１９１７０５号公報
【考案の開示】
【考案が解決しようとする課題】
【０００７】
本考案が解決しようとする問題点は、各種容器等の使用対象物が金属材又は金属を含む部材の場合においてもタグ性能、特に通信性能を支障なく発揮し得る簡略安価な構成の立体タグが存在しない点である。
【課題を解決するための手段】
【０００８】
本考案の立体タグは、タグＩＣと、アンテナとを具備する無線タグと、前記無線タグを保持するタグ面部と、使用対象物への貼り付け面部と、前記無線タグを保持したタグ面部を前記貼り付け面部から離間させる状態で連結する連結片部と、を具備し、全体として立体状を呈しする樹脂材からなる無線タグ支持体と、を有することを最も主要な特徴とする。
【考案の効果】
【０００９】
請求項１記載の考案によれば、タグＩＣとアンテナとを具備する無線タグを、無線タグ支持体におけるタグ面部により保持し、このタグ面部を使用対象物への貼り付け面部から連結片部を介して離間させるように構成したものであるから、使用対象物が金属材又は金属を含む部材の場合においても、無線タグが使用対象物の面から離間していることから電磁波の吸収が生じることはなく、無線タグのタグ性能、特に通信性能を支障なく発揮させることができる立体タグを提供することができる。
【００１０】
請求項２記載の考案によれば、タグＩＣとアンテナとを具備する四角平面状の無線タグを、全体として立体状を呈し折り畳み可能な樹脂フィルム材からなる無線タグ支持体における四角平面状のタグ面部により保持し、このタグ面部を使用対象物への四角平面状の貼り付け面部から一対の長方形状の連結片部を介して離間させるように構成したものであるから、使用対象物が金属材又は金属を含む部材の場合においても、無線タグが使用対象物の面から離間していることから電磁波の吸収が生じることはなく、無線タグのタグ性能、特に通信性能を支障なく発揮させることができ、更に、無線タグ支持体が折り畳み可能であることから、不使用時の収納保管にも便利な簡略安価な立体タグを提供することができる。
【００１１】
請求項３記載の考案によれば、請求項２記載の考案と同様な構成で、かつ、一対の長方形状の連結片部によりタグ面部、無線タグを前記貼り付け面部から５ｍｍ以上離間させる構成として、請求項２記載の考案と同様、使用対象物が金属材又は金属を含む部材の場合においても、無線タグが使用対象物の面から離間していることから電磁波の吸収が生じることはなく、無線タグのタグ性能、特に通信性能を支障なく発揮させることができ、更に、無線タグ支持体が折り畳み可能であることから、不使用時の収納保管にも便利な簡略安価な立体タグを提供することができる。
【考案を実施するための最良の形態】
【００１２】
本考案は、使用対象物が金属材又は金属を含む部材の場合においてもタグ性能、特に通信性能を支障なく発揮し得る簡略安価な構成の立体タグを提供するという目的を有するものである。
本考案は、上記目的を、タグＩＣと、アンテナとを具備する四角平面状の無線タグと、前記無線タグを保持する四角平面状のタグ面部と、四角平面状に形成した使用対象物への貼り付け面部と、前記無線タグを保持したタグ面部を前記貼り付け面部から離間させる状態でこれらタグ面部、貼り付け面部の対向する側縁同士を各々連結する一対の長方形状の連結片部と、を具備し、全体として立体状を呈し折り畳み可能な樹脂フィルム材からなる無線タグ支持体と、を有する構成により実現した。
【実施例】
【００１３】
以下に、本考案の実施例に係る立体タグについて図面を参照して詳細に説明する。
【００１４】
本実施例に係る立体タグ１は、図１、図２に示すように、平面状の無線タグ１１と、ＰＥＴ材等の樹脂フィルム材からなり、この無線タグ１１を貼着支持する全体として直方体状を呈する無線タグ支持体２１と、を有している。
【００１５】
前記無線タグ１１は、略長方形状の無線タグ支持フィルム１２上に、平面状に形成したタグＩＣ１３と、このタグＩＣ１３に接続した平面状のアンテナ１４とを貼着し、全体として長方形平面状に形成している。
【００１６】
すなわち、前記無線タグ１１は、中央にタグＩＣ１３を配置し、このタグＩＣ１３の両側にアンテナ１４を構成する左右対称形状の平面アンテナ部１４ａ、１４ｂを接続することにより構成している。
【００１７】
前記無線タグ支持体２１は、長方形平面状のタグ面部２２と、長方形平面状に形成した使用対象物への貼り付け面部２３と、前記タグ面部２２を前記貼り付け面部２３から例えば５ｍｍ以上離間させる（浮かせる）状態でこれらタグ面部２２、貼り付け面部２３の対向する側縁同士を各々連結する一対の長方形状の連結片部２４ａ、２４ｂと、を具備し、全体として直方体状を呈し折り畳み可能に構成している。
【００１８】
前記タグ面部２２は、外形が長方形の周辺部２２ａと、この周辺部２２ａの内側に形成した略長方形状のタグ受部２２ｂとを有している。前記タグ受部２２ｂは、四辺の一部、すなわち、対向する両短辺の一部を除いて形成した略長方形を呈し、かつ、角を丸めた切り込み２２ｃにより前記周辺部２２ａと画されている。また、前記タグ受部２２ｂは、前記無線タグ支持フィルム１２よりも外形寸法を一回りが大きくなるように形成している。
【００１９】
次に、本実施例に係る立体タグ１の製造工程について図３を参照して説明する。
【００２０】
まず、ドラム状に巻回した素材フィルム３１を用意し、素材フィルム３１の一部を平面状に展開した後、図示しないがプレス加工機により素材フィルム３１の一部を打ち抜いて前記無線タグ支持体２１の基となる平面基材３２を形成する。
【００２１】
この平面基材３２は、周辺部２２ａ、タグ受部２２ｂ及び切り込み２２ｃからなるタグ面部２２と、長方形状の貼り付け面部２３と、タグ面部２２と貼り付け面部２３との長辺間を連結する一方の連結片部２４ａと、タグ面部２２の他の長辺外側の他方の連結片部２４ｂと、他方の連結片部２４ｂの更に外側の略長方形状の貼着片部２４ｃとを備えている。
【００２２】
前記連結片部２４ａ、２４ｂの短辺の寸法は、各々例えば５ｍｍに設定している。
【００２３】
次に、前記平面基材３２におけるタグ受部２２ｂ上に、別途形成した前記無線タグ１１の無線タグ支持フィルム１２を接着又は両面テープによる貼着等により貼着固定する。
【００２４】
次に、前記無線タグ１１を貼着固定した平面基材３２を立体的に組み立て、立体タグ１を製造する。
【００２５】
すなわち、一方の連結片部２４ａの両長辺に沿って各々９０度折曲するとともに、タグ面部２２と他方の連結片部２４ｂとの境界部分（長辺）も９０度折曲し、更に、他方の連結片部２４ｂと貼着片部２４ｃとの境界部分（長辺）も９０度折曲し、貼着片部２４ｃを前記貼り付け面部２３の外側の長辺に沿って、かつ、長辺から外方にはみ出ないように接着又は両面テープによる貼着等により貼着固定する。
【００２６】
これにより、図１に示すような全体として直方体状を呈し、前記無線タグ１１を前記貼り付け面部２３から例えば５ｍｍ離間させる（浮かせる）状態の立体タグ１が得られる。
【００２７】
なお、前記離間距離は５ｍｍに限らず、６，７，８ｍｍ等適宜選定可能である。
【００２８】
本実施例に係る立体タグ１によれば、使用対象物が金属材又は金属を含む部材の場合においても、無線タグ１１が使用対象物の面から例えば５ｍｍ離間していることから電磁波の吸収が生じることはなく、無線タグ１１のタグ性能、特に通信性能を支障なく発揮させることができ簡略安価な立体タグ１とすることができる。
【００２９】
更に無線タグ支持体２１が折り畳み可能であることから、不使用時の収納保管にも便利な立体タグ１とすることができる。
【００３０】
次に、本実施例に係る立体タグ１の具体的使用態様について、図４を参照して説明する。
【００３１】
図４は、物流ターミナルにおいてコンベア４１上で搬送される多数の使用対象物であるコンテナ４  ２に対して、前記立体タグ１の貼り付け面部２３を前記無線タグ１１が貼り付け面部２３から例えば５ｍｍ離間する状態で貼り付け、コンテナ４２の移動経路に臨ませて配置した読み取りアンテナ４３により各コンテナ４２の立体タグ１に記録したタグ情報を読み取り、各コンテナ４２の配送仕分けを行う例を示すものである。
【００３２】
この場合、コンテナ４２が金属材又は金属を含む部材の場合であっても、上述した通り無線タグ１１がコンテナ４２の表面から例えば５ｍｍ離間していることから電磁波の吸収が生じることはなく、無線タグ１１のタグ性能、特に通信性能を支障なく発揮させることができる。
【００３３】
なお、本実施例に係る立体タグ１において、図示しないがラベルプリンタにより所要の文字を印字したラベルを前記立体タグ１の周辺部２２ａ、連結片部２４ａ、２４ｂ等に一体的に貼り込み、立体タグ１に記録したタグ情報を視覚認識可能に構成することも可能である。
【産業上の利用可能性】
【００３４】
本考案の立体タグは、上述した場合の他、例えば、小売店において特に金属鍋類その他金属製の各種商品に貼着して販売管理、在庫管理を行なったり、工場等において金属製品に貼着して製造管理、在庫管理を行う等、広範に応用可能である。
【図面の簡単な説明】
【００３５】
【図１】本考案の実施例に係る立体タグの概略斜視図である。
【図２】本実施例に係る立体タグの平面展開図である。
【図３】本実施例に係る立体タグの製造工程の概略説明図である。
【図４】本実施例に係る立体タグの使用態様を示す斜視図である。
【符号の説明】
【００３６】
１    立体タグ
１１    無線タグ
１２    無線タグ支持フィルム
１３    タグＩＣ
１４    アンテナ
１４ａ  平面アンテナ部
１４ｂ  平面アンテナ部
２１    無線タグ支持体
２２    タグ面部
２２ａ  周辺部
２２ｂ  タグ受部
２２ｃ  切り込み
２３    貼り付け面部
２４ａ  連結片部
２４ｂ  連結片部
２４ｃ  貼着片部
３１    素材フィルム
３２    平面基材
４１    コンベア
４２    コンテナ
４３    読み取りアンテナ
【図１】
0003136193.tif 000003
【図２】
0003136193.tif 000004
【図３】
0003136193.tif 000005
【図４】
0003136193.tif 000006